(57)【要約】【課題】  幼児から大人まで、様々な体型を有するユーザに対して、姿勢の自由度を高めつつ対応できる電子鍵盤楽器を実現する。【解決手段】  ペダル６２，…，６２を備えた移動ユニット１１０を前後方向に移動可能にすることにより、ペダル６２，…，６２を各ユーザにとって最適な位置に調節できるようにした。ユーザが可動天板１１２を足で踏むと、移動ユニット１１０が前後方向に滑動可能な状態になり、可動天板１１２から足を離すと、移動ユニット１１０の動きが規制されるようになる。【選択図】  図６
2008268314.tif 000002
【特許請求の範囲】
【請求項１】
少なくとも一のペダルを備え、前後方向に移動可能な移動ユニットと、
前記移動ユニットを前後方向にガイドするガイド部材と、
前記移動ユニットの前後方向の動きを必要に応じて規制する規制手段と
を有することを特徴とする電子楽器。
【請求項２】
少なくとも演奏操作子を有し、上下方向に移動可能な本体部と、
前記本体部を上下方向にガイドする本体部ガイド部材と、
前記本体部の上下方向の動きを必要に応じて規制する本体部規制手段と
をさらに有することを特徴とする請求項１記載の電子楽器。
【請求項３】
前記規制手段は、
前記移動ユニットの上面に設けられた所定の操作部に力が印加されていない非操作状態において前記移動ユニットの少なくとも後方への動きを規制するとともに、該操作部に力が印加されている操作状態において前記移動ユニットの前後方向の動きを可能ならしめるものである
ことを特徴とする請求項１または２記載の電子楽器。
【発明の詳細な説明】
【技術分野】
【０００１】
本発明は、電子ピアノまたは電子オルガン等に用いて好適な電子楽器に関する。
【背景技術】
【０００２】
電子ピアノまたは電子オルガン等の電子鍵盤楽器は、大人から幼児まで様々な体型のユーザに使用されるものであるため、ユーザの体型に応じて各種寸法調節が可能なものが知られている。例えば、特許文献１には、ペダル鍵盤等を含むペダルユニットを備えた電子鍵盤楽器において、ペダルユニットの取り付け位置を上下方向に調節可能なものが開示されている。また、特許文献２には、電子鍵盤楽器の鍵盤部の位置を上下方向、または斜め上下方向に調節可能なものが開示されている。
【０００３】
【特許文献１】実開平６−２１０９２号公報
【特許文献２】実公平１−４３７５６号公報
【発明の開示】
【発明が解決しようとする課題】
【０００４】
しかし、上述した従来技術では、「鍵盤部」と「ペダル部」の前後位置関係を任意に調節することが不可能であった。例えば、特許文献２の技術では、「鍵盤部」の高さによって「鍵盤部」と「ペダル部」との前後位置関係が連動して変化するため、この前後位置関係を独立して任意に設定することができなかった。従って、ユーザは、演奏時、押鍵する手の位置とペダルを踏む足の位置の前後間隔を体型に合わせて任意に設定することができず、必ずしも無理のない姿勢で演奏が可能になるとは限らなかった。
この発明は上述した事情に鑑みてなされたものであり、ユーザの姿勢の自由度を高めつつ、様々な体型のユーザに対応できる電子楽器を提供することを目的としている。
【課題を解決するための手段】
【０００５】
上記課題を解決するため本発明にあっては、下記構成を具備することを特徴とする。なお、括弧内は例示である。
請求項１記載の電子楽器にあっては、少なくとも一のペダル（６２）を備え、前後方向に移動可能な移動ユニット（６０，１１０，１６０）と、前記移動ユニット（６０，１１０，１６０）を前後方向にガイドするガイド部材（６８）と、前記移動ユニット（６０，１１０，１６０）の前後方向の動きを必要に応じて規制する規制手段（５８，６６，１０６，１１４，１６４）とを有することを特徴とする。
さらに、請求項２記載の構成にあっては、請求項１記載の電子楽器において、少なくとも演奏操作子（１２）を有し、上下方向に移動可能な本体部（１０）と、前記本体部（１０）を上下方向にガイドする本体部ガイド部材（２６）と、前記本体部（１０）の上下方向の動きを必要に応じて規制する本体部規制手段（３０，４０）とをさらに有することを特徴とする。
さらに、請求項３記載の構成にあっては、請求項１または２記載の電子楽器において、前記規制手段（５８，６６，１０６，１１４，１６４）は、前記移動ユニット（６０，１１０，１６０）の上面に設けられた所定の操作部（５６，１１２，１６２）に力が印加されていない非操作状態において前記移動ユニット（６０，１１０，１６０）の少なくとも後方への動きを規制するとともに、該操作部（５６，１１２，１６２）に力が印加されている操作状態において前記移動ユニット（６０，１１０，１６０）の前後方向の動きを可能ならしめるものであることを特徴とする。
【発明の効果】
【０００６】
このように本発明によれば、移動ユニットの位置調整を行った後、規制手段によって該移動ユニットの動きを規制できるから、個々のユーザにとって最も無理の無い操作ができる位置にペダル位置を設定することができる。
【発明を実施するための最良の形態】
【０００７】
1．第１実施例
1．1．全体構成
次に、本発明の第１実施例の電子鍵盤楽器（電子ピアノ）の全体構成を図１(a)を参照し説明する。
図１(a)において１０は本体部であり、鍵盤１２、譜面台１４、スピーカ１６および各種電気回路（図示せず）が設けられている。２２は左右に一対設けられた上スタンド部であり、略長方形の断面形状を有する筒状に形成され、その上端部は本体部１０の下面に固定されている。２４は下スタンド部であり、上スタンド部２２と同様に左右に一対設けられ、上スタンド部２２よりも若干寸法の大きい略長方形の断面形状を有する筒状に形成され、下スタンド部２４の上端部には上スタンド部２２が挿通されている。
【０００８】
左右の下スタンド部２４の内部下方には、略「凸」字状の台座２８が設けられている。但し、図１(a)においては、右側の上下スタンド部２２，２４と、その台座２８のみを示す。３０はガスシリンダーであり、略円筒状のシリンダー部３０ａと、該シリンダー部３０ａから下方に突出する略円柱状のピストン部３０ｂとから構成されている。２６はガイド部であり、略円筒状のガイドシリンダー２６ａと、該ガイドシリンダー２６ａに挿通するガイドピストン２６ｂとから構成されている。４０はガスシリンダー操作部であり、本体部１０の下面に固定されガスシリンダー３０の伸縮操作を行う。
【０００９】
３２は側面視が略「コ」字状に形成されたフランジ部であり、「コ」字の開放部分を上方に向けて本体部１０の下面に固定されている。ガイドシリンダー２６ａは、その上端部が本体部１０の下面に固定され、ガイドピストン２６ｂは、その下端部が台座２８に固定されている。また、ガスシリンダー３０のピストン部３０ｂは台座２８の凸部２８ａに固定され、シリンダー部３０ａの上端部はフランジ部３２に固定されている。図１においては、ガスシリンダー３０およびガイド部２６は電子鍵盤楽器の右側面部分に設けられているもののみ図示するが、同様に構成されたガスシリンダーおよびガイド部が左側面部分にも設けられている。５０はペダルユニットであり、各種ペダルが装着される。このペダルユニット５０は、図示しないアングル等によって下スタンド部２４に固定される固定ユニット５２と、固定ユニット５２に対して前後方向に移動可能な移動ユニット６０とから構成されている。ここで、ガスシリンダー操作部４０を操作して本体部１０の位置を下げるとともに、ペダルユニット５０の移動ユニット６０をやや前方に移動させると、電子鍵盤楽器の右側面視は図１(b)に示すようになる。また、左右の上下スタンド部２２，２４と、ペダルユニット５０との配置関係を図３(a)に示す。
【００１０】
1．2．ガスシリンダー操作部４０の詳細構成
次に、ガスシリンダー操作部４０およびガスシリンダー３０の上端部分の詳細構成を説明する。図２(a)において１８，１９は支持部材であり、略長方形板状に形成され、本体部１０の左右方向の略中央部下面から突出するように設けられている。支持部材１８，１９には、厚さ方向（図上では左右方向）に貫通する円形の貫通孔１８ａ，１９ａが各々形成されている。４２はレバーであり、略長尺円柱状の金属棒によって構成され、貫通孔１８ａ，１９ａに遊挿されることにより、楽器本体前後方向（図上では左右方向）に移動可能なように、支持部材１８，１９によって支持される。
【００１１】
レバー４２の前方端（図上では左端）には、ユーザによって把持されるノブ４１が固着されている。このレバー４２において、ノブ４１と支持部材１８との間、ほぼ中央部分、および、後方端部には、レバー４２の半径方向に円盤状に突出するように円盤部４９，４３，４４が固定されている。これら円盤部４９，４３，４４の直径は、何れも貫通孔１８ａ，１９ａの直径よりも大きくなっており、図２(a)の状態において円盤部４９は支持部材１８に当接している。円盤部４４と支持部材１９との間においては、コイルばね４５がレバー４２に挿通されており、コイルばね４５の両端部は支持部材１９および円盤部４４に当接している。
【００１２】
次に、４７はＬ字板であり、長尺状の長方形金属板を長手方向に沿ってＬ字状に折り曲げて形成されている。Ｌ字板４７は、本体部１０の下方において左右方向に沿って延設されるとともに、図上で紙面に垂直な軸である回転軸４６を中心として回動可能に軸支されている。４８は軸支持部であり、本体部１０の下面から突出し、回転軸４６を本体部１０に固定している。なお、軸支持部４８は、Ｌ字板４７を挟むように左右一対設けられているが、図２(a)，(b)においては左側の軸支持部のみを図示する。また、Ｌ字板４７は、図示しないコイルばね等で、回転軸４６を中心に時計回りに付勢されるような構造であってもよい。
【００１３】
Ｌ字板４７には、円盤部４３よりも径の小さな貫通孔４７ａが形成されており、円盤部４３よりも手前側（図上で左側）においてレバー４２が貫通孔４７ａに挿通している。なお、貫通孔４７ａは円盤部４３より開口部の狭い切欠きであってもよい。また、ガスシリンダー３０のシリンダー部３０ａの上端部は、フランジ部３２の、床面に対して平行な面に固定されている。これにより、本体部１０は、フランジ部３２を介してガスシリンダー３０によって支持される。また、シリンダー部３０ａの上端中央には、押下によりシリンダーストローク調整が可能になるガス制御ピン３０ｄが設けられ、フランジ部３２に形成された貫通孔３２ａを挿通して、上方に突出している。
【００１４】
上記構成において、ユーザがノブ４１を把持して手前側に引いた状態を図２(b)に示す。図示の状態では、円盤部４４および支持部材１９に挟まれたコイルばね４５が圧縮されている。そして、円盤部４３によってＬ字板４７が押圧されることにより、Ｌ字板４７は回転軸４６を中心に反時計方向に回動し、左右一対に設けられたガスシリンダー３０のガス制御ピン３０ｄを押し下げる。これにより、ガスシリンダー３０は伸縮可能な状態になる。ここで、ユーザが本体部１０の高さを所望の高さに調節した後にノブ４１から手を離すと、コイルばね４５の弾発力により、ガスシリンダー操作部４０の状態が元の状態（図２(a)）に戻り、本体部１０の高さがその時点の位置に固定される。
【００１５】
1．3．ペダルユニット５０の詳細構成
次に、ペダルユニット５０の詳細構成を図３(b)を参照し説明する。上述したように、ペダルユニット５０は固定ユニット５２と移動ユニット６０とから構成される。固定ユニット５２は、略直方体箱状の形状を有しているが、その前方中央部分５２ｂは開口しており、上板５２ａも前方部分が切りかかれている。そして、これら開口部分から移動ユニット６０が露出している。移動ユニット６０の前面からは、複数のペダル（例えば、ダンパー、ソフト、ソステヌートなど）６２，…，６２が突出している。また、ペダル下部には、各ペダルのストッパとしての役割を奏するとともに、移動ユニット６０の移動時にユーザが把持する取っ手としての役割を果たす支持脚６４が設けられる。さらに、固定ユニット５２の上板５２ａの中央部には、ユーザによって操作されるレバー５６が設けられている。
【００１６】
次に、図４を参照し、レバー５６および関連する部材の詳細構成を説明する。レバー５６は、略長方形の金属板を約「１２０°」に曲げて形成されている。レバー５６の一端には、長尺円柱状の金属棒５７が固着されており、該金属棒５７の両端部よりもやや内側においては、略長方形板状の金属板である爪５８，５８が固着されている。５４，５４はレバー支持部であり、略長方形板状に形成され、固定ユニットの上板５２ａ（図３(b)参照）から下方に向かって突出している。なお、レバー支持部５４，５４は上板５２ａと一体に形成してもよく、別体のものとして形成し上板５２ａに固定するようにしてもよい。レバー支持部５４，５４には、円形の貫通孔５４ａ，５４ａが形成されており、これら貫通孔に金属棒５７の端部が挿通される。これにより、レバー５６は、金属棒５７を中心として回動自在になり、爪５８，５８はレバー５６と連動して回動する。なお、レバー５６は、金属棒５７の中央部分を「コ」字状に折り曲げることにより、金属棒５７と一体になるように構成してもよい。
【００１７】
次に、ペダルユニット５０の内部構造を説明する。図５(a)において６８はスライドレールであり、移動ユニット６０と固定ユニット５２との間に取り付けられ、移動ユニット６０が前後方向に滑動可能になるようにガイドする。金属棒５７は、上述したようにレバー支持部５４，５４（図４参照）に回動自在に軸支されるため、レバー５６は、図上の金属棒５７の箇所において紙面に垂直な回転軸を中心として回動自在になっている。５３はコイルばねであり、レバー５６を反時計方向に付勢する。また、レバー５６の下方において、移動ユニット６０の両側部には、樹脂を鋸歯状に形成して成るラック６６が固定されている。但し、図５(a)〜(c)においては、左側面のラック６６のみを図示する。ラック６６を構成する各「歯」は、頂点から前方（図上左方向）に向かって緩やかに傾斜するとともに、後方に向かって急峻に傾斜している。爪５８は、その下端部が何れか二つの「歯」の間に挿入され、これによって爪５８とラック６６とはラチェット機構を構成している。すなわち、ユーザが支持脚６４等を把持して移動ユニット６０を前方に向かって引くと、爪５８はラック６６の各「歯」を容易に乗り越えるため、移動ユニット６０は図４(b)，(c)に示すように、抵抗なく前方に移動する。
【００１８】
一方、ユーザがそのままの状態で移動ユニット６０を後方に押そうとすると、爪５８がラック６６に食い込むため、移動ユニット６０の後方への動きが規制される。かかる場合には、レバー５６を後方に倒し、爪５８をラック６６からリリースさせると、移動ユニット６０を抵抗なく後方に移動させることができる。このように、本実施例では移動ユニット６０の前方への移動は特に規制せず、後方への移動のみ規制しているため、その理由について説明しておく。まず、ユーザがペダル６２，…，６２を操作すると、上下方向のみならず移動ユニット６０を後方に押そうとする力が働く。従って、後方への動きを規制しなければ、移動ユニット６０が徐々に後方に移動するという不具合が生じる。一方、ペダル６２，…，６２を通常の操作方法で操作しても移動ユニット６０を前方に引こうとする力は働かないため、前方への動きは特に規制しておく必要性は小さいことによる。
【００１９】
2．第２実施例
次に、本発明の第２実施例の電子鍵盤楽器の構成を説明する。
本実施例の全体構成は、第１実施例の構成（図１）と同様であるが、本実施例においては第１実施例のペダルユニット５０に代えて、図６に示すペダルユニット１００が適用される。図６においてペダルユニット１００は、固定ユニット１０２と移動ユニット１１０とから構成される。固定ユニット１０２は、略直方体箱状の形状を有するとともにその中央部分には凹状に切り欠いた切欠部１０２ｃが形成され、その切欠部１０２ｃに移動ユニット１１０が介挿される。
【００２０】
移動ユニット１１０においては、第１実施例の移動ユニット６０と同様に、支持脚６４とペダル６２，…，６２とが前方に向かって突出している。さらに、移動ユニット１１０の上面には、長方形の可動天板１１２が嵌め込まれている。可動天板１１２は、その後端部１１２ａが移動ユニット１１０本体に軸支され、前端部１１２ｂが下方に陥没可能に構成されている。
【００２１】
固定ユニット１０２においては、移動ユニット１１０の両側面に対向する位置に左側板１０２ａおよび右側板１０２ｂが設けられている。ここで、左側板１０２ａの詳細構成を図７(a)を参照し説明する。左側板１０２ａの内面には、前後方向に渡って長方形状に窪んだ凹部１０４が形成されており、該凹部１０４の上面から下方に向かって、樹脂を鋸歯状に形成して成るラック１０６が突出している。ラック１０６を構成する各「歯」は、頂点（下端）から後方に向かって緩やかに傾斜するとともに、前方に向かって急峻に傾斜している。１１５はアングルであり、移動ユニット１１０の可動天板１１２の下面に取り付けられるものである。アングル１１５からは略円柱状のピン１１４が凹部１０４に向かって突出している。
【００２２】
次に、移動ユニット１１０の内部構造を説明する。図７(b)において可動天板１１２は、移動ユニット１１０の背面板１１０ｄに固定された軸１１６を中心として回動可能になっている。軸１１６には、図７(c)に示すコイルばね１１８が挿通され、コイルばね１１８は可動天板１１２および背面板１１０ｄに対して、両者を広げる方向に付勢する。また、移動ユニット１１０の前面板１１０ｃは、その上端部において後方に向かって約「９０°」に若干折れ曲がっている。また、可動天板１１２の前方部下面に固定されたアングル１１５は、この前面板１１０ｃの折り曲げ部分の下方に向かって突出している。
【００２３】
従って、コイルばね１１８によって可動天板１１２には時計回りに回動しようとする力が印加されるが、前面板１１０ｃによってアングル１１５が係止されることにより、可動天板１１２は図示のように水平位置に留まる。また、移動ユニット１１０の左側板１１０ａには、ピン１１４の回動方向に沿った長穴状の貫通孔１１０ｂが形成されており、この貫通孔１１０ｂから固定ユニット１０２の左側板１０２ａに向かってピン１１４が露出している。前述の凹部１０４、ラック１０６、ピン１１４、アングル１１５、貫通孔１１０ｂについては、左側板１０２ａおよび固定ユニット１０２の左側部に設けられたものについて説明したが、右側板１０２ｂおよび固定ユニット１０２の右側部にも、同様の機構が対称を成すように設けられている。
【００２４】
次に、図８(a)において、６８はスライドレールであり、第１実施例のものと同様に、移動ユニット１１０と固定ユニット１０２との間に取り付けられている。これにより、移動ユニット１１０は、前後方向に滑動可能になっている。
再び図７(a)において、ピン１１４は、ラック１０６を構成する何れか二つの「歯」の間に挿入され、これによってピン１１４とラック１０６とはラチェット機構を構成している。すなわち、第１実施例と同様にユーザが支持脚６４等を把持して移動ユニット１１０を前方に向かって引くと、ピン１１４はラック１０６の各「歯」を容易に乗り越えるため、移動ユニット１１０は図８(b)，(c)に示すように、抵抗なく前方に移動する。
【００２５】
一方、ユーザがそのままの状態で移動ユニット１１０を後方に押そうとすると、ピン１１４がラック１０６に食い込むため、移動ユニット１１０の後方への動きが規制される。かかる場合には、ユーザは、図７(d)に示すように可動天板１１２の前端部分を押し下げるとよい。これにより、ピン１１４がラック１０６からリリースされ、移動ユニット１１０を抵抗なく後方に移動させることができる。このように、本実施例では、第１実施例と同様に、移動ユニット６０の前方への移動は特に規制されず、後方への移動のみが規制されている。
【００２６】
さらに、本実施例においては、ユーザが「足」のみによって移動ユニット１１０の位置を調節できるという特徴がある。すなわち、ユーザが可動天板１１２を足で踏み込み、そのまま足を前後に動かすと、移動ユニット１１０が抵抗無く前後に移動し、適当な位置で可動天板１１２から足を離すと、それ以降、移動ユニット１１０の後方向への移動がラチェット機構（１１４，１０６）により規制される。これにより、ユーザは、本体部１０の下にもぐりこむ必要がなくなり、移動ユニット１１０の位置を一層容易に設定することができる。
【００２７】
3．第３実施例
次に、本発明の第３実施例の電子鍵盤楽器の構成を説明する。
本実施例の全体構成は、第１実施例の構成（図１）と同様であるが、本実施例においては第１実施例のペダルユニット５０に代えて、図９に示すペダルユニット１５０が適用される。図９においてペダルユニット１５０は、固定ユニット１５２と移動ユニット１６０とから構成される。固定ユニット１５２は、略直方体箱状の形状を有するとともにその中央部分には凹状に切り欠いた切欠部１５２ｃが形成され、その切欠部１５２ｃに移動ユニット１６０が介挿される。
【００２８】
移動ユニット１６０においては、第１実施例の移動ユニット６０と同様に、支持脚６４とペダル６２，…，６２とが前方に向かって突出している。さらに、移動ユニット１１０は、その天板１６０ａの前方部分および前面板１６０ｂの上部が切り欠かかれており、その切欠部分に断面略「Ｌ」字状の可動板１６２が嵌め込まれている。可動板１６２は、その後端部１６２ａが移動ユニット１６０本体に軸支され、前端部１６２ｂが内側に回動可能に構成されている。
【００２９】
次に、移動ユニット１６０の内部構造を説明する。図１０(a)において可動板１６２は、天板１６０ａに固定された軸１６６を中心として回動可能になっている。軸１６６には、図１０(c)に示すコイルばね１６８が挿通され、コイルばね１６８は可動板１６２および天板１６０ａに対して、両者を広げる方向に付勢する。また、可動板１６２の下端部に固定されたアングル１６５は、この前面板１６０ｂの内側に向かって突出している。
【００３０】
従って、コイルばね１６８によって可動板１６２には時計回りに回動しようとする力が印加されるが、前面板１６０ｂによってアングル１６５が係止されることにより、可動板１６２は図１０(a)に示す位置に留まる。１６４はガスシリンダーであり、略円筒状のシリンダー部１６４ａと、該シリンダー部１６４ａから後方に突出する略円柱状のピストン部１６４ｂとから構成されている。ここで、ピストン部１６４ｂは、その後端部が固定ユニット１５２の背面板に固定されている。また、シリンダー部１６４ａの前端部からは押下によりシリンダーストローク調整が可能になるガス制御ピン１６４ｄが突出している。１６３はガスシリンダー支持部であり、ガスシリンダー１６４のシリンダー部１６４ａを図示の位置に固定する。
【００３１】
次に、図１１(a)において、６８はスライドレールであり、第１実施例のものと同様に、移動ユニット１６０と固定ユニット１５２との間に取り付けられている。これにより、移動ユニット１６０は、前後方向に滑動可能になっている。
次に、図１０(b)において、ユーザが可動板１６２を押して反時計回りに回動させると、アングル１６５によってガス制御ピン１６４ｄが押下され、ピストン部１６４ｂが後方に向かって付勢されつつ、ガスシリンダー１６４が伸縮可能な状態になる。
【００３２】
ここで、ユーザが可動板１６２を軽く踏んだ状態、すなわち、ガス制御ピン１６４ｄを操作しうる以上の力であって、ピストン部１６４ｂに付勢される力よりも弱い力で可動板１６２を踏んだ状態では、ピストン部１６４ｂに付勢される力によって移動ユニット１６０が前方向に移動する。一方、ユーザが可動板１６２を強く踏んだ状態、すなわち、ピストン部１６４ｂに付勢される力よりも強い力で可動板１６２を踏んだ状態では、ピストン部１６４ｂに付勢される力に逆らって移動ユニット１６０は後方向に移動する。このように、移動ユニット１６０の位置を所望の位置に調節した後に可動板１６２から足を離すと、移動ユニット１６０がその位置に固定される。ここで、移動ユニット１６０の位置を様々な位置に設定した例を図１１(a)〜(c)に示す。
【００３３】
本実施例においては、上述した第１，第２実施例とは異なり、移動ユニット１６０の前方および後方への双方の移動が規制される。さらに、本実施例においては、第２実施例と同様に、ユーザが「足」のみによって移動ユニット１６０の位置を調節できるから、ユーザは、本体部１０の下にもぐりこむ必要がなくなり、移動ユニット１６０の位置を容易に設定することができる。
【００３４】
4．変形例
本発明は上述した実施例に限定されるものではなく、例えば以下のように種々の変形が可能である。
(1)上記各実施例においては、「ペダル」の一例として複数のペダル６２，…，６２を実装したものを例示したが、「ペダル」は前記のものに限られず、ペダル鍵盤、エクスプレッションペダル等であってもよいし、一つのペダルのみを実装するものであってもよい。また、ペダルユニットは、上記各実施例のように固定／移動ユニットに分割される物に限らない。ペダルユニットとしては分割されておらず、ペダルユニット全体が上下スタンド部２２，２４に対して前後に移動可能かつ固定可能になるように構成してもよい。
【００３５】
(2)上記各実施例においては、本体部を上下に、あるいはペダルユニットを前後に移動可能および固定可能にする手段として、ガスシリンダー、スライドレール、ラチェット機構等を例示したが、本体部を上下に、あるいはペダルユニットを前後に移動可能および固定可能にする手段は上述したものに限られず、ネジまたはナットを回転させて可動させるネジ式機構、あるいは複数のネジと位置調整用に設けられた複数の取付け穴による段階的取付け機構によってこれらを構成してもよい。
【図面の簡単な説明】
【００３６】
【図１】本発明の第１実施例による電子鍵盤楽器の側面図である。
【図２】ガスシリンダー操作部４０の詳細構成を示す側面図である。
【図３】第１実施例におけるペダルユニット５０の斜視図である。
【図４】レバー５６および関連する部材の斜視図である。
【図５】ペダルユニット５０の動作説明図である。
【図６】第２実施例におけるペダルユニット１００の斜視図である。
【図７】ペダルユニット１００の各部の構成を示す図である。
【図８】ペダルユニット１００の動作説明図である。
【図９】第３実施例におけるペダルユニット１５０の斜視図である。
【図１０】ペダルユニット１５０の各部の構成を示す図である。
【図１１】ペダルユニット１５０の動作説明図である。
【符号の説明】
【００３７】
１０：本体部、１２：鍵盤、１４：譜面台、１６：スピーカ、１８，１９：支持部材、１８ａ，１９ａ：貫通孔、２２：上スタンド部、２４：下スタンド部、２６：ガイド部（本体部ガイド部材）、２６ａ：ガイドシリンダー、２６ｂ：ガイドピストン、２８：台座、２８ａ：凸部、３０：ガスシリンダー（本体部規制手段）、３０ａ：シリンダー部、３０ｂ：ピストン部、３０ｄ：ガス制御ピン、３２：フランジ部、４０：ガスシリンダー操作部（本体部規制手段）、４１：ノブ、４２：レバー、４３，４４，４９：円盤部、４５：コイルばね、４６：回転軸、４７：Ｌ字板、４７ａ：貫通孔、４８：軸支持部、５０：ペダルユニット、５２：固定ユニット、５３：コイルばね、５２ａ：上板、５２ｂ：前方部分、５４：レバー支持部、５６：レバー（操作部）、５７：金属棒、５８：爪（規制手段）、６０：移動ユニット、６２，…，６２：ペダル（ペダル）、６４：支持脚、６６：ラック（規制手段）、６８：スライドレール（ガイド部材）、１００：ペダルユニット、１０２：固定ユニット、１０２ａ：左側板、１０２ｂ：右側板、１０４：凹部、１０６：ラック（規制手段）、１１０：移動ユニット、１１０ａ：左側板、１１０ｂ：貫通孔、１１０ｃ：前面板、１１０ｄ：背面板、１１２：可動天板（操作部）、１１２ａ：後端部、１１２ｂ：前端部、１１４：ピン（規制手段）、１１５：アングル、１１６：軸、１１８：コイルばね、１５０：ペダルユニット、１５２：固定ユニット、１６０：移動ユニット、１６０ａ：天板、１６０ｂ：前面板、１６２：可動板（操作部）、１６２ａ：後端部、１６３：ガスシリンダー支持部、１６４：ガスシリンダー（規制手段）、１６４ａ：シリンダー部、１６４ｂ：ピストン部、１６４ｄ：ガス制御ピン、１６５：アングル。
【図１】
2008268314.tif 000003
【図２】
2008268314.tif 000004
【図３】
2008268314.tif 000005
【図４】
2008268314.tif 000006
【図５】
2008268314.tif 000007
【図６】
2008268314.tif 000008
【図７】
2008268314.tif 000009
【図８】
2008268314.tif 000010
【図９】
2008268314.tif 000011
【図１０】
2008268314.tif 000012
【図１１】
2008268314.tif 000013